(57)【特許請求の範囲】
【請求項１】
肌当接面を形成する液透過性の表面層、液不透過性の裏面層、及び該表面層と該裏面層との間に介在された液保持性の吸収層を有する実質的に縦長の吸収性物品において、
上記吸収性物品の両側部それぞれに、帯状の伸縮性シートが、それぞれ吸収性物品の長手方向に延びるように配設及び固定されており、上記各伸縮性シートは、その内側縁部が前記表面層及び前記吸収層に固定されているか又はその内側縁部が前記表面層を介して該表面層と共に前記吸収層に固定されており、上記各伸縮シートの収縮により、該各伸縮シート自体が肌当接面側に凸の凸曲面形状の立体形態をなし、該各伸縮シートの収縮により、吸収性物品の両側部それぞれの肌当接面に、肌当接面側に凸の凸曲面形状の立体形態が形成されていることを特徴とする吸収性物品。
【請求項２】
上記各伸縮性シートが上記吸収層よりも肌当接面側に配設されていることを特徴とする請求項１に記載の吸収性物品。
【請求項３】
上記伸縮性シートは、上記吸収性物品の長手方向に伸張された状態でその両側縁を固定されていることを特徴とする請求項１記載の吸収性物品。
【請求項４】
上記表面層は、表面シートにより形成され、上記伸縮性シートは、少なくとも該表面シートに固定されており、上記凸曲面形状は長手方向に延びていることを特徴とする請求項１記載の吸収性物品。
【請求項５】
上記吸収性物品は、該吸収性物品の長手方向において、肌当接面側に凹状に湾曲した形状を有することを特徴とする請求項１記載の吸収性物品。
【発明の詳細な説明】
【０００１】
【発明の属する技術分野】
本発明は、生理用ナプキンや失禁パッド、母乳パッド等の、肌当接面を形成する液透過性の表面層、液不透過性の裏面層、及び該表面層と該裏面層との間に介在された液保持性の吸収層を有する実質的に縦長の吸収性物品に関し、更に詳しくは、優れた防漏性が発揮され、良好な装着感を得ることのできる吸収性物品に関する。
【０００２】
【従来の技術及び発明が解決しようとする課題】
一般に、生理用ナプキンや失禁パッド、母乳パッド等の吸収性物品として、肌当接面を形成する液透過性の表面層、液不透過性の裏面層、及び該表面層と該裏面層との間に介在された液保持性の吸収層を有する実質的に縦長の吸収性物品はよく知られている。この様な吸収性物品は、血液、尿等の体液を漏れなく吸収・保持させることが要求される。
【０００３】
体液を漏れなく吸収・保持させるための技術としては、従来より、吸収性物品の両側部に装着者側に突出する防漏部を形成させる技術が知られている。この様な防漏部を形成させる技術としては、吸収層の側外方において表面層である表面シートに吸収性物品の長手方向に弾性部材を固定して、該表面シートを裏面層としての裏面シートから断面山形に起立させる技術（特開平１−２１３４０２号）や、吸収体の周囲において起立するシート状のバリアカフスと、該バリアカフスの更に外方に配置されるガスケットカフスとを設ける技術（特開昭６２−２５０２０１号）、弾性片（合成樹脂フィルム）を肌当接面の両側縁部に伸張させた状態で配置しその両端を固定させて、伸縮により弾性片の中央部を起立させる技術（特開平８−１１７２７３号）等がある。
【０００４】
しかし、上記の従来技術における防漏部では、漏れ防止効果と違和感のない良好な装着感の両方を満足することはできない。
【０００５】
従って、本発明の目的は、優れた防漏性が発揮され、良好な装着感を得ることのできる吸収性物品を提供することにある。
【０００６】
【課題を解決するための手段】
本発明は、肌当接面を形成する液透過性の表面層、液不透過性の裏面層、及び該表面層と該裏面層との間に介在された液保持性の吸収層を有する実質的に縦長の吸収性物品において、上記吸収性物品の両側部それぞれに、帯状の伸縮性シートが、それぞれ吸収性物品の長手方向に延びるように配設及び固定されており、上記各伸縮性シートは、その内側縁部が前記表面層及び前記吸収層に固定されているか又はその内側縁部が前記表面層を介して該表面層と共に前記吸収層に固定されており、上記各伸縮シートの収縮により、該各伸縮シート自体が肌当接面側に凸の凸曲面形状の立体形態をなし、該各伸縮シートの収縮により、吸収性物品の両側部それぞれの肌当接面に、肌当接面側に凸の凸曲面形状の立体形態が形成されていることを特徴とする吸収性物品を提供することにより、上記の目的を達成したものである。
【０００７】
【発明の実施の形態】
以下、本発明の吸収性物品の実施形態を図面を参照しながら具体的に説明する。ここで、図１は、本発明の吸収性物品の一実施形態としての生理用ナプキンを示す斜視図、図２は図１のＩ−Ｉ線矢視断面図、図３は、図１の生理用ナプキン１の概略側面図である。
【０００８】
本形態の生理用ナプキン１は、肌当接面を形成する液透過性の表面層としての表面シート１１、液不透過性の裏面層としての裏面シート１２、及び該表面シート１１と該裏面シート１２との間に介在された液保持性の吸収層としての吸収体１３を有し、実質的に縦長の形状をしている。
詳述すると、表面シート１１及び裏面シート１２は、吸収体１３よりも幅広かつ長く形成され、吸収体１３の周縁部において接着されて吸収体１３を挟持している。
また本形態の生理用ナプキン１では、長手方向の中央部１ａの肌当接面に生理用ナプキン１の長手方向に沿う一対の溝１４，１４がエンボス加工により形成されており、該中央部１ａが装着者の股間において装着者に沿う凸のアーチ形状に容易に変形して良好にフィットするようになっている。
この各構成については従来の公知技術と同じであり、上記表面シート１１、裏面シート１２及び吸収体１３としては、従来より用いられているものを特に制限なく用いることができる。
【０００９】
次いで、本実施形態の生理用ナプキン１の特徴部分について説明する。
本実施形態の生理用ナプキン１では、図１又は図２に示すように、帯状の伸縮性シート１５が、上記生理用ナプキン１の長手方向に配設及び固定されており、該伸縮性シート１５の収縮により、肌当接面側に凸の凸曲面形状の立体形態Ｕ，Ｕが形成されている。
【００１０】
更に詳述すると、上記生理用ナプキン１の両側部それぞれに、伸縮性シート１５，１５が上記吸収層を構成する上記吸収体１３よりも肌当接面側に配設されており、該伸縮性シート１５，１５の収縮により、該上記生理用ナプキン１の両側部に、それぞれ該生理用ナプキン１の長手方向に延び、幅方向の断面形状が肌当接面側に凸の円弧形状である凸曲面形状の立体形態Ｕ，Ｕが形成されている。
一対の上記伸縮性シート１５，１５は、それぞれ、生理用ナプキン１の長手方向に伸張された状態で、その両側縁を固定されている。
【００１１】
上記伸縮性シート１５，１５は、それぞれ生理用ナプキン１の長手方向の両端部間に亘るように設けられている。この伸縮性シート１５，１５は、生理用ナプキン１の長手方向に３０％伸張された状態で、表面シート１１の非肌当接面側に固着されている。
【００１２】
上記各伸縮性シート１５は、上記生理用ナプキン１の長手方向及び幅方向、即ち、一対の伸縮性シート１５，１５の長手方向に沿う両側縁部１５ｂ，１５ｃ及び幅方向に沿う両端部１５ａ，１５ａにおいて、それぞれ上記表面シート１１の非肌当接面側の面に固定されている。
より具体的に説明すると、一対の伸縮性シート１５，１５における、生理用ナプキン１の側外方側に配置される外縁部１５ｂ，１５ｂは吸収体１３の側部外方において表面シート１１の非肌当接面側の面に接着されて表面シート１１及び裏面シート１２とともに生理用ナプキン１の側縁部を形成しており、生理用ナプキン１の側内方側に配置される内縁部１５ｃ，１５ｃは表面シート１１の肌当接面側からの熱溶着により表面シート１１及び吸収体１３に接着されて熱溶着部１６，１６を形成している。一方、一対の伸縮性シート１５，１５における、幅方向に沿う各端部１５ａ，１５ａ，１５ａ，１５ａは吸収体１３の両端外方において表面シート１１の非肌当接面側の面に接着されて表面シート１１及び裏面シート１２とともに生理用ナプキン１の端部を形成している。
【００１３】
伸縮性シート１５，１５の両側縁１５ｂ，１５ｃ部分における収縮力は、伸縮性シート全体の収縮力よりも弱く、伸縮性シート１１の両側縁間、即ち外縁部１５ｂ，内縁部１５ｃ間の中央部分のみが生理用ナプキン１の長手方向に積極的に収縮する。そして、この収縮により、生理用ナプキン１全体の形状が、図３に示すように、該生理用ナプキン１の長手方向に沿って肌当接面側に凹状に湾曲した形状となると共に、生理用ナプキン１の両側部に、それぞれ生理用ナプキン１の長手方向に延び、幅方向の断面形状が肌当接面側に凸の略円弧形状である上記立体形態Ｕ，Ｕが形成される。そして、上記立体形態Ｕ，Ｕは、経血等の体液の漏れを防止する防漏部として機能する。
【００１４】
尚、伸縮性シート１５の長手方向における固定（長手方向に沿う方向の固定）は、本実施形態におけるように、外縁部１５ｂを全長に亘って接着すると共に内縁部１５ｃを中央部１ａにおいて接着することにより固定しても良いが、両側縁部１５ｂ，１５ｃを、それぞれ全長に亘って接着しても良いし、それぞれ長手方向の中央部１ａにおいてのみ接着しても良い。
また、伸縮性シート１５の幅方向における固定（幅方向に沿う方向の固定）は、本実施形態におけるように、伸縮性シート１５の両端部において接着することにより固定しても良いが、該両端部よりも中央部１ａよりの位置において接着して固定しても良い。
【００１５】
上記伸縮性シート１５は、更に、本実施形態におけるように吸収体１３にも接着されていることが好ましい。該伸縮性シート１５が、表面シート１１のみならず吸収体１３にも接着されて固定されていると、生理用ナプキン１の湾曲した凹面形状及び上記防漏部Ｕ，Ｕの立体形態の保形性がより優れたものとなる。
【００１６】
上記伸縮性シート１５，１５は、シート状であり、伸縮性を有するものであれば特に限定されない。例えば、シート材料としては、伸縮性のフィルム、不織布、織物またはそれらの積層シート等が挙げられる。
具体的には、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる材自体が伸縮性を有するフィルム、不織布、織物やこれらフィルムと不織布等の積層物等が挙げられる。
上記伸縮性フィルムは、表面シートよりも肌当接面側に使用する場合には、肌触りを良好にする為、及びヒートシール性を向上する為に、ポリエチレン／ポリエステル、ポリエチレン／ポリプロピレン、ポリプロピレンからなる熱可塑性不織布と積層し、積層材として用いることが好ましい。
この様な熱可塑性不織布は、不織布自身が伸縮性を有する様に、クリンプ加工した繊維を用いることが好ましく、伸び難いクリンプ加工していない不織布を積層する場合においては、積層する前にあらかじめ伸縮性フィルムのみを所定の伸張率まで伸張し、不織布材料とホットメルトやヒートシール等によって接着し、弾性フィルムがその他の層をギャザリングする様にして作っても良い。
【００１７】
上記伸縮性シート１５，１５は、生理用ナプキンの長手方向に沿って（１５ｂ，１５ｃ）及び幅方向に沿って（１５ａ，１５ａ）接着固定した時、長手方向の肌当接面に凹面形状となす好ましい湾曲率及び幅方向の両側部に、好ましい高さの上記立体形態が得られるように、伸縮物性、伸縮率、固定箇所等を調整する。
【００１８】
生理用ナプキンの長手方向における肌当接面側に凹状に湾曲する湾曲率としては、曲率半径ｒ（図３参照）が５０〜３００ｍｍであることが好ましく、１００〜２００ｍｍであることがより好ましい。曲率半径ｒが５０ｍｍ未満では、ナプキンが湾曲しすぎてフィット性が低下したりショーツにつけずらくなったりして好ましくなく、３００ｍｍを越えると、身体への好ましいフィット性が得られ難くなる。
本実施形態の生理用ナプキン１におけるように凸面形状の立体形態を吸収性物品の両サイドに設ける場合には、該立体形態の高さｈ（図２参照）は、１〜１５ｍｍが好ましく、２〜１０ｍｍがより好ましい。高さが１ｍｍ未満であるとサイド部分で高いフィット性が得られず、漏れ防止力として弱くなってしまい、１５ｍｍを越えると違和感となってしまったりして好ましくない。
【００１９】
このように好ましい曲率半径ｒ及び幅方向の凸面形状の高さｈを得ることは、伸縮性材料の伸縮物性、伸縮率及び伸縮材料の幅方向の固定点１５ｂ，１５ｃに関係する。
上記伸縮性シート１５，１５の伸縮物性は、生理用ナプキン１の長手方向において５〜５０％伸張したときの応力が、５０〜５００ｇｆ／幅２５ｍｍが好ましく、１００〜３００ｇｆ／幅２５ｍｍがより好ましい。
応力が５０ｆｇ／幅２５ｍｍ未満では、伸縮力が弱すぎ、好ましい湾曲が得られなかったり、高さｈが得られなかったりして好ましくなく、５００ｇｆ／幅２５ｍｍを越えると、長手方向の湾曲の程度が過大となる等によりフィット性が低下するので好ましくない。。
また、伸縮材料の幅方向の固定１５ｂ，１５ｃに関しては、好ましい凸面形状の高さｈを得るためには、１５ｂと１５ｃとの幅Ｗ１（図２参照）は３〜３０ｍｍが好ましく５〜２０ｍｍがより好ましい。幅Ｗ１が３ｍｍ未満では、固定間隔が狭すぎ好ましい高さｈが得られず凸面形状とならないため好ましくなく、Ｗ１が３０ｍｍを越えると、即ち防漏部分の幅が大となるため、吸収部分の幅Ｗ０が狭くなってしまい逆に好ましくない。
【００２０】
本実施形態の生理用ナプキン１によると、生理用ナプキン１の左右両側縁部に、肌当接面側に凸の凸曲面形状の立体形態Ｕ，Ｕが形成されており、該立体形態Ｕ，Ｕが、横漏れ防止用の防漏部として機能するため、経血等の漏れ、特に横漏れを確実に防止することができる。
【００２１】
また、上記立体形態の凸曲面形状が、生理用ナプキン１の長手方向に延びているため、体へのフィット性が良好であり、また、漏れ防止効果に、より優れたものとなっている。
また、伸縮性シート１５，１５の収縮により生理用ナプキン１が、その長手方向において、肌当接面側に凹状に湾曲した形状となっているため、長手方向においても、身体の曲線にフィットし前後の液漏れも効果的に防止できる。
【００２２】
本実施形態の生理用ナプキン１は、防漏部Ｕ，Ｕが伸縮性シート１５，１５により形成されているので、当接部位の変形につれての他の部分の変形が生じ難く、装着者との間に隙間が生じ難いので、優れた防漏性が発揮される。
また、防漏部Ｕ，Ｕが凸曲面状且つ断面円弧状なので、肌触りが良好であり、装着者からの負荷は防漏部Ｕ，Ｕ内においてスムーズに増加減少した状態で加えられ、身体の圧力に応じて防漏部Ｕ，Ｕがスムーズに変形するので、変形による装着感の低下が回避され、また吸収体等への応力が分散するため良好な防漏性が発揮される。
【００２３】
また、本実施形態の生理用ナプキン１は、防漏部Ｕ，Ｕが生理用ナプキン１の長手方向に伸縮性を有する伸縮性シート１５，１５により形成されており、防漏部Ｕ，Ｕが形成されるので、この点からも良好な肌触りが保持される。
また、伸縮性シート１５，１５が表面シートよりも非肌当接面側に配置され、肌当接面が表面シート１１により構成されるので、伸縮性シート１５，１５の材料の種類の影響を受けることなく良好な肌触りを得ることができる。
【００２４】
本発明は上述した実施形態に限定されるものではなく、各部材の具体的な形状や寸法等は、本発明の趣旨を逸脱しない限りにおいて適宜変更可能である。
例えば、図４に示すように、伸縮性シート１５，１５を表面シート１１の肌当接面側に配置し、表面シート１１の肌当接面側の面に接着して、伸縮性シート１５，１５と表面シート１１の両方によって上記立体形態（防漏部Ｕ，Ｕ）を形成させることもできる。この生理用ナプキン１’によっても、上述の第１の実施形態と同様の作用及び効果が得られる。また、この様な場合においては、表面シートを両側端の１５ｂまで延出しなくとも、内側の固定部１５ｃの外側まで幅があれば、同様の立体形状効果は得られる。
【００２５】
また、一対の上記伸縮性シート１５を、上記吸収体１３の裏面側に配設及び固定することにより、生理用ナプキン１の両側部に、上記凸曲面形状の立体形態を形成させても良い。
【００２６】
また、上記伸縮性シート１５の表面シート１１等への接着手法としては、上述の実施形態の如き熱溶着の他、超音波、接着剤等を用いることができる。
また、裏面層と吸収層とを一体に成形することもできる。また、伸縮性シートが肌当接面に配置される場合には、表面層と吸収層とを一体に成形することもできる。
また、吸収性物品１，１’の裏面シート１２側にウイングを設け、これにより装着固定を容易なものとしても良い。また、伸縮性シート１５，１５を幅方向に延出させ、伸縮性を有するウイングを形成するのも好ましい。
また、本発明の吸収性物品は、生理用ナプキンに限られず、失禁者用パッドや母乳パッド、外科用パッド等であっても良い。
【００２７】
【発明の効果】
以上説明したように、本発明の吸収性物品によれば、優れた防漏性が発揮され、良好な装着感が得られる。
【図面の簡単な説明】
【図１】本発明の吸収性物品の一実施形態としての生理用ナプキンを示す斜視図である。
【図２】図１のＩ−Ｉ線矢視断面図である。
【図３】図１の生理用ナプキン１の凹面形状を説明するための概略側面図である。
【図４】本発明の吸収性物品の実施形態の他の例を示す断面図である。
【符号の説明】
１，１’生理用ナプキン
１１    表面シート（表面層）
１２    裏面シート（裏面層）
１３    吸収体（吸収層）
１４    溝
１５    伸縮性シート
１６    熱溶着部
Ｕ    肌当接面側に凸の凸曲面形状の立体形態（防漏部）
【図１】
0003621253.tif 000002
【図２】
0003621253.tif 000003
【図３】
0003621253.tif 000004
【図４】
0003621253.tif 000005